(57)【要約】      （修正有）【課題】太陽電池の出力において発生した直列アーク及び並列アークを、遮断機構及び短絡機構を追加せずに消弧する。【解決手段】電力制御装置１００は、太陽電池２００から供給される直流電力の入力電圧を昇圧又は降圧し、入力電圧を所定の昇圧比で昇圧又は降圧して出力するＤＣ／ＤＣコンバータ１１０と、太陽電池２００とＤＣ／ＤＣコンバータ１１０との間の電路に発生するアークを検出するアーク検出部１２０と、アーク検出部１２０からアークを検出したとの情報を取得すると、入力電圧に基づいて、該アークが直列アークであるか並列アークであるかを判定する制御部１４０とを備え、制御部１４０は、アークが直列アークおよび並列アークのいずれかに応じて、ＤＣ／ＤＣコンバータ１１０の昇圧比を制御する。【選択図】図１
2016157364.tif 000002
【特許請求の範囲】
【請求項１】
太陽電池から供給される直流電力の入力電圧を昇圧又は降圧する電力制御装置であって、
前記入力電圧を所定の昇圧比で昇圧又は降圧して出力するＤＣ／ＤＣコンバータと、
前記太陽電池と前記ＤＣ／ＤＣコンバータとの間の電路に発生するアークを検出するアーク検出部と、
前記アーク検出部からアークを検出したとの情報を取得すると、前記入力電圧に基づいて、該アークが直列アークであるか並列アークであるかを判定する制御部とを備え、
前記制御部は、前記アークが直列アークおよび並列アークのいずれかに応じて、前記ＤＣ／ＤＣコンバータの昇圧比を制御する電力制御装置。
【請求項２】
請求項１に記載の電力制御装置において、前記制御部は、前記アーク検出部が検出したアークが直列アークであると判定した場合、前記ＤＣ／ＤＣコンバータの昇圧比を所定の値まで減少させることを特徴とする電力制御装置。
【請求項３】
請求項１に記載の電力制御装置において、前記制御部は、前記アーク検出部が検出したアークが並列アークであると判定した場合、前記ＤＣ／ＤＣコンバータの昇圧比を所定の値まで増加させることを特徴とする電力制御装置。
【請求項４】
請求項１から３のいずれか一項に記載の電力制御装置において、前記制御部は、前記アーク検出部がアークを検出した時刻から所定の時間前の時刻における前記入力電圧よりも所定の電圧だけ小さい電圧を閾値とし、アーク検出後の前記入力電圧が、該閾値よりも大きい場合は該アークが直列アークであると判定し、該閾値よりも小さい場合は該アークが並列アークであると判定することを特徴とする電力制御装置。
【請求項５】
請求項１から４のいずれか一項に記載の電力制御装置において、直列アーク又は並列アークが発生した場合に設定した前記ＤＣ／ＤＣコンバータの昇圧比を記憶する記憶部をさらに備え、前記制御部は、前記電力制御装置が動作停止又は電源オフの状態から再起動する際、直列アーク又は並列アーク発生時に設定した前記昇圧比を前記記憶部から読み込んで、前回動作時と同じ昇圧比で前記ＤＣ／ＤＣコンバータを動作させることを特徴とする電力制御装置。
【請求項６】
請求項１から５のいずれか一項に記載の電力制御装置において、前記アーク検出部がアークを検出した際に、アーク発生の情報を外部に送信する通信部をさらに備える電力制御装置。
【請求項７】
太陽電池から供給される直流電力の入力電圧をＤＣ／ＤＣコンバータで昇圧又は降圧する電力制御装置の制御方法であって、
前記太陽電池と前記ＤＣ／ＤＣコンバータとの間の電路に発生するアークを検出するステップと、
アークを検出すると、前記入力電圧に基づいて、該アークが直列アークであるか並列アークであるかを判定するステップと、
前記アークが直列アークであるか並列アークであるかに応じて、前記入力電圧を前記ＤＣ／ＤＣコンバータで昇圧又は降圧して昇圧比を制御するステップとを含む制御方法。
【発明の詳細な説明】
【技術分野】
【０００１】
本発明は、電力制御装置及びその制御方法に関するものである。
【背景技術】
【０００２】
従来、交流電気回路において発生したアークを検出する技術として、アークにより発生するノイズを、電流の周波数特性の変化から検出する技術が広く知られている。この技術は、例えば、家庭用の遮断器に組み込まれている場合がある。
【０００３】
一方、太陽光発電システムは、太陽電池からの電力ラインの接触不良によって直列アークが発生したり、太陽電池からの電力ラインの異極間の絶縁不良によって並列アークが発生したりする場合がある。
【０００４】
太陽光発電システムにおいては、直列アークと並列アークを識別し、直列の場合は回路開放、並列の場合は回路短絡させることが対策として有効であることが知られている（例えば、特許文献１参照）。
【先行技術文献】
【特許文献】
【０００５】
【特許文献１】特表２０１３−５０２０５４号公報
【発明の概要】
【発明が解決しようとする課題】
【０００６】
しかしながら、太陽電池モジュール毎に、開閉器またはスイッチ回路などで太陽電池の出力を物理的に遮断（回路開放）する機構、及び、太陽電池の出力を物理的に短絡（回路短絡）する機構を追加することは大きなコスト増につながっていた。
【０００７】
かかる点に鑑みてなされた本発明の目的は、太陽電池の出力において発生した直列アーク及び並列アークを、遮断機構及び短絡機構を追加せずに消弧できる電力制御装置及びその制御方法を提供することにある。
【課題を解決するための手段】
【０００８】
本発明の実施形態に係る電力制御装置は、太陽電池から供給される直流電力の入力電圧を昇圧又は降圧する電力制御装置であって、前記入力電圧を所定の昇圧比で昇圧又は降圧して出力するＤＣ／ＤＣコンバータと、前記太陽電池と前記ＤＣ／ＤＣコンバータとの間の電路に発生するアークを検出するアーク検出部と、前記アーク検出部からアークを検出したとの情報を取得すると、前記入力電圧に基づいて、該アークが直列アークであるか並列アークであるかを判定する制御部とを備え、前記制御部は、前記アークが直列アークおよび並列アークのいずれかに応じて、前記ＤＣ／ＤＣコンバータの昇圧比を制御するものである。
【０００９】
また、本発明の実施形態に係る電力制御装置の制御方法は、太陽電池から供給される直流電力の入力電圧をＤＣ／ＤＣコンバータで昇圧又は降圧する電力制御装置の制御方法であって、前記太陽電池と前記ＤＣ／ＤＣコンバータとの間の電路に発生するアークを検出するステップと、アークを検出すると、前記入力電圧に基づいて、該アークが直列アークであるか並列アークであるかを判定するステップと、前記アークが直列アークであるか並列アークであるかに応じて、前記入力電圧を前記ＤＣ／ＤＣコンバータで昇圧又は降圧して昇圧比を制御するステップとを含むものである。
【発明の効果】
【００１０】
本発明の実施形態に係る電力制御装置及びその制御方法によれば、太陽電池の出力において発生した直列アーク及び並列アークを、遮断機構及び短絡機構を追加せずに消弧することができる。
【図面の簡単な説明】
【００１１】
【図１】本発明の一実施形態に係る電力制御装置を含む電力制御システムの概略構成を示す図である。
【図２】ＭＰＰＴ制御の様子を示す図である。
【図３】直列アークか並列アークかを判定する様子を示す図である。
【図４】直列アーク及び並列アークの場合の動作点の制御の様子を示す図である。
【図５】本発明の一実施形態に係る電力制御装置の概略構成を示す図である。
【図６】本発明の他の実施形態に係る電力制御装置の概略構成を示す図である。
【図７】直列アークの様子を示す図である。
【図８】並列アークの様子を示す図である。
【発明を実施するための形態】
【００１２】
本発明の実施形態について説明する前に、太陽電池システムにおけるアーク放電について説明する。
【００１３】
太陽電池システムにおけるアーク放電は、直列アークと並列アークの２つの場合がある。直列アークと並列アークとでは対処方法が異なる。
【００１４】
最初に直列アークについて説明する。直列アークは、機器接続箇所の接触不良や、ケーブルの断線による接触不良などに起因して発生する。すなわち、直列アークは、本来接続され電流が流れているべき部分が接触不良となることによりアーク放電が発生するものである。図７（ａ）に、ケーブルの断線による接触不良に起因して発生する直列アークの例を示す。
【００１５】
直列アークが発生した場合は、アーク放電の高熱により、数秒程度でアーク放電できない沿面距離まで導体金属が融解してアーク放電が止まる。
【００１６】
直列アークの対処方法としては電流を止めることが有効であり、例えば下流側で電路解列を実行すればよい。図７（ｂ）に、下流側のスイッチをオフさせて電路を解列させ、直列アークを消弧した場合の例を示す。
【００１７】
続いて並列アークについて説明する。並列アークは、異なる極性の配線間（以下、単に「ＰＮ間」とも称する）の絶縁不良によってＰＮ間にアーク放電が発生するものである。並列アークは、例えば、電気工事の際に架台やフレームアースにケーブルを噛みこませた場合や、ＰＮケーブルを束ねて配線する際に配線器具・工具等で傷をつけてしまった場合などに発生する。図８（ａ）に、ＰＮ間の絶縁不良に起因して発生する並列アークの例を示す。
【００１８】
並列アークが発生した場合も、直列アークが発生した場合と同様に、アーク放電の高熱によって導体金属の融解が生じる。
【００１９】
並列アークの対処方法としては電圧を止めることが有効であり、例えばＰＮ間の電路短絡を実行すればよい。図８（ｂ）に、下流側のスイッチでＰＮ間を短絡させ、並列アークを消弧した場合の例を示す。なお、並列アークが発生した場合は、アーク放電箇所でケーブル等がアーク熱で断線する前に、アークを検出して短絡する。
【００２０】
ここで、太陽電池システムにおけるアーク放電において、ＰＮ間を短絡させても安全である理由について説明する。
【００２１】
一般的には、短絡事故が発生すると大きな電流が流れるため、機器の短絡保護にはヒューズ等の過電流保護装置が、電気配線等の短絡保護にはブレーカ等の過電流保護装置が用いられている。しかしながら、太陽電池は、ＰＮ間を完全に短絡しても一定電流以上は流れないという特性を有するため、このような過電流保護装置が不要となる。太陽電池出力のＰＮ間を短絡したときに流れる電流は、通常の発電時の動作電流の１．２倍程度である。太陽電池や配線ケーブル、システム機器はこの短絡電流を想定して、この短絡電流に耐え得る設計がなされているため、ＰＮ間を完全に短絡させても安全上の問題はない。
【００２２】
以下、本発明の実施形態について、図面を参照して説明する。
【００２３】
図１は、本発明の一実施形態に係る電力制御装置１００Ａ〜１００Ｎを含む電力制御システム１の概略構成を示す図である。図１において、各機能ブロックを結ぶ実線は主に電力線を示し、破線は主に通信線又は信号線を示す。
【００２４】
電力制御システム１は、電力制御装置１００Ａ〜Ｎと、太陽電池２００Ａ〜２００Ｎと、インバータ３００とを備える。図１に示す例では、太陽電池２００が、太陽電池２００Ａ〜２００Ｎまである場合を示しているが、太陽電池２００は任意の台数であってよい。電力制御装置１００の台数は、太陽電池２００の台数に対応する。以下、特に区別する必要がない場合は、電力制御装置１００Ａ〜１００Ｎは、単に電力制御装置１００と記載して説明する。太陽電池２００Ａ〜２００Ｎに関しても同様に、特に区別する必要がない場合は、単に太陽電池２００と記載して説明する。その他の構成要素についても同様である。
【００２５】
電力制御装置１００は、太陽電池２００から供給される直流電力の直流電圧を変圧して、すなわち昇圧又は降圧してインバータ３００に出力する。電力制御装置１００の構成及び機能の詳細については後述する。なお、インバータ３００は、電力制御装置１００Ａ〜１００Ｎの各々に配置されていてもよい。
【００２６】
太陽電池２００は、複数の太陽電池セルを直列接続したものであり、ストリングとも称されるものである。なお、太陽電池２００は、１本のストリングに限らず、複数のストリングが並列に接続された構成であってもよい。
【００２７】
インバータ３００は、複数の電力制御装置１００Ａ〜１００Ｎからの出力がまとめて供給される構成となっており、電力制御装置１００Ａ〜１００Ｎから供給された直流電力を交流電力に変換して、分電盤などへ供給する。
【００２８】
続いて、電力制御装置１００の構成及び機能について詳細に説明する。電力制御装置１００は、ＤＣ／ＤＣコンバータ１１０、アーク検出部１２０、記憶部１３０及び制御部１４０を備える。
【００２９】
ＤＣ／ＤＣコンバータ１１０は、太陽電池２００から供給される直流電圧（入力電圧）を所定の昇圧比で昇圧又は降圧してインバータ３００に出力する。通常時において、ＤＣ／ＤＣコンバータ１１０は、制御部１４０で最大電力を出力できるようにＭＰＰＴ（Maximum Power Point Tracking）制御を行なう。これにより、ＤＣ／ＤＣコンバータ１１０は、最大電力点に追従するように制御されている。図２に、ＤＣ／ＤＣコンバータ１１０がＭＰＰＴ制御されている様子を示す。図２に示す例においては、ＤＣ／ＤＣコンバータ１１０の入力電圧がＶｍであるとき、ＤＣ／ＤＣコンバータ１１０の入力電流がＩｍとなり、このとき、ＤＣ／ＤＣコンバータ１１０は最大電力Ｐｍを出力する。なお、ＭＰＰＴ制御は当業者が通常行なう方法を利用すればよい。
【００３０】
ＤＣ／ＤＣコンバータ１１０は、太陽電池２００とＤＣ／ＤＣコンバータ１１０との間の電路において、直列アーク又は並列アークが発生した場合は、制御部１４０によって、それぞれ、直列アーク又は並列アークを消弧するように制御される。制御部１４０がどのようにして、直列アーク及び並列アークを消弧するかについては後述する。なお、ここで「電路」との用語は、太陽電池２００から電力制御装置１００に電力を供給するための電線などを意味する。また、以下の説明において、太陽電池２００とＤＣ／ＤＣコンバータ１１０との間の電路については、単に「電路」と記載する。
【００３１】
また、ＤＣ／ＤＣコンバータ１１０は、ＤＣ／ＤＣコンバータ１１０の入力部の電圧及び電流を測定し、測定した値をアーク検出部１２０及び制御部１４０に出力する。
【００３２】
アーク検出部１２０は、ＤＣ／ＤＣコンバータ１１０から取得したＤＣ／ＤＣコンバータ１１０の入力部の電流情報に基づいて、電路においてアーク放電（アーク）が発生しているか否かを検出する。アーク検出部１２０は、例えば、取得した電流情報にアークによるノイズが増えているか否かを周波数成分の分析などによって判定し、アークが発生しているか否かを検出する。
【００３３】
また、アーク検出部１２０は、電力制御装置１００の外部に設置されたアーク検出装置から、電路においてアークが発生したとの情報を取得することによって、アークを検出してもよい。この場合の電力制御装置１００の外部に設置されるアーク検出装置は、従来知られているアーク検出装置であってよい。
【００３４】
記憶部１３０は、ＤＣ／ＤＣコンバータ１１０から取得したＤＣ／ＤＣコンバータ１１０の入力部の電圧情報を、所定の時間分、例えば数秒程度の時間分記憶している。なお、所定の時間は、数秒程度の時間に限定するものではなく、より短い時間又は長い時間であってもよい。
【００３５】
制御部１４０は、電力制御装置１００全体を制御及び管理するものであり、例えばプロセッサによって構成することができる。
【００３６】
制御部１４０は、電路におけるアーク発生を検出したとの情報をアーク検出部１２０から取得すると、そのアークが直列アークであるか並列アークであるかを判定する。なお、以下に説明する制御部１４０によるアーク発生時の処理は、それぞれの電力制御装置１００において独立して実行される。例えば、太陽電池２００ＡからＤＣ／ＤＣコンバータ１１０Ａの間の電路においてアークを検出した場合は、電力制御装置１００Ａ内の制御部１４０Ａによってアーク検出時の処理が実行され、その他のアークを検出していない電力制御装置１００Ｂ〜１００Ｎにおいては、制御部１４０Ｂ〜１４０Ｎは、通常のＭＰＰＴ制御を実行している。
【００３７】
直列アークが発生した場合は、通常、ＤＣ／ＤＣコンバータ１１０の入力部の電圧が、アークが発生している箇所のアーク放電の電圧分だけ低下する。例えば、太陽電池２００の出力電圧が２５０Ｖであった際に、アーク放電の発生に伴ってＤＣ／ＤＣコンバータ１１０の入力部の電圧が２２０Ｖに低下した場合には、アーク放電による電圧低下が３０Ｖと判定できる。また、並列アークが発生した場合は、通常、ＤＣ／ＤＣコンバータ１１０の入力部の電圧が、アーク放電の電圧程度に低下する。例えば、太陽電池２００の出力電圧が２５０Ｖであった際に、アーク放電の発生に伴ってＤＣ／ＤＣコンバータ１１０の入力部の電圧が３０Ｖに低下した場合には、アーク放電による電圧低下が２２０Ｖと判定できる。制御部１４０は、この特性に基づき、電路におけるアークが直列アークであるか並列アークであるかを判定する。
【００３８】
図３を参照して、制御部１４０による直列アークか並列アークかの判定について説明する。図３に示すグラフは横軸が時間であり、縦軸がＤＣ／ＤＣコンバータ１１０の入力電圧である。
【００３９】
制御部１４０は、時刻ｔ０において、電路におけるアーク発生を検出したとの情報をアーク検出部１２０から取得すると、時刻ｔ０から所定の時間Δｔだけ前の時刻であるｔ０−ΔｔにおけるＤＣ／ＤＣコンバータ１１０の入力電圧Ｖ０を記憶部１３０から読み出す。通常、アークが発生してからアークを検出するまでには数１００ミリ秒程度の時間がかかるが、Ｖ０として、アーク発生前の時刻における電圧を取得できるように、予めΔｔの値が設定されている。
【００４０】
制御部１４０は、Ｖ０から所定の電圧Ｖａをひいた電圧の値Ｖｔを閾値として、アーク検出後のＤＣ／ＤＣコンバータ１１０の入力電圧が閾値Ｖｔより大きいか小さいかによって、アークが直列アークであるか並列アークであるかを判定する。
【００４１】
制御部１４０は、アーク検出後のＤＣ／ＤＣコンバータ１１０の入力電圧がＶｔより大きい場合は直列アークであると判定し、Ｖｔより小さい場合は並列アークであると判定する。一般的に、太陽電池の場合、直列のアーク放電の発生に伴うＤＣ／ＤＣコンバータ１１０の入力部の電圧の低下量は、０〜３０Ｖである。それゆえ、Ｖａには３０Ｖよりも若干大きい電圧、例えば、４０Ｖ程度の電圧が設定される。なお、Ｖａの値は、想定されるアーク放電の電圧に応じて、直列アークか並列アークかを適切に判定できる値を選択して設定しておけばよい。
【００４２】
なお、直列アークか並列アークかの判定については、上述の閾値に対する比較以外の方法でも可能である。例えば、アーク放電の発生に伴うＤＣ／ＤＣコンバータ１１０の入力部の電圧の低下を検出した際に、上述した直列アーク対処の工程を一時的に実行し、電圧がアーク放電発生前の電圧に戻った場合には直列アークと判定し、戻らなければ並列アークと判定してもよい。そして、この直列アークおよび並列アークの判定後に、各アークに対する対処方法を実行すればよい。
【００４３】
続いて、図４を参照して、直列アークと判定した場合と並列アークと判定した場合のそれぞれにおいて、制御部１４０がどのようにＤＣ／ＤＣコンバータ１１０を制御するかについて説明する。
【００４４】
制御部１４０は、アークが発生した場合、通常時のＭＰＰＴ制御を停止し、ＤＣ／ＤＣコンバータ１１０を以下のように制御する。
【００４５】
制御部１４０は、電路に発生したアークが直列アークであると判定した場合、ＤＣ／ＤＣコンバータ１１０の入力電圧が大きくなるように、すなわち、ＤＣ／ＤＣコンバータ１１０の昇圧比を所定の値まで減少させるようにＤＣ／ＤＣコンバータ１１０の昇圧比を制御する。具体的には、制御部１４０は、直列アークと判定した場合、アーク放電の電圧をＶｂ、電流が０Ａとなるとき電圧をＶｏｃとすると、ＤＣ／ＤＣコンバータ１１０の入力電圧が、Ｖｏｃ−ＶｂからＶｏｃの間の電圧になるように制御する。
【００４６】
制御部１４０は、このように、ＤＣ／ＤＣコンバータ１１０の入力電圧が、Ｖｏｃ−ＶｂからＶｏｃの間の電圧になるように制御することによって、接触不良となっている部分における両端間の電位差を低減させることができる。これにより、直列アークを消弧することができる。
【００４７】
制御部１４０は、電路に発生したアークが並列アークであると判定した場合、ＤＣ／ＤＣコンバータ１１０の入力電圧が小さくなるように、すなわち、ＤＣ／ＤＣコンバータ１１０の昇圧比を所定の値まで増加させるようにＤＣ／ＤＣコンバータ１１０の昇圧比を制御する。具体的には、制御部１４０は、並列アークと判定した場合、ＤＣ／ＤＣコンバータ１１０の入力電圧が、０ＶからＶｂの間の電圧になるように制御する。
【００４８】
制御部１４０は、このように、ＤＣ／ＤＣコンバータ１１０の入力電圧が、０ＶからＶｂの間の電圧になるように制御することによって、ＰＮ間の電圧を低減させ、並列アークを消弧することができる。
【００４９】
図５に、ＤＣ／ＤＣコンバータ１１０の構成をより詳細に示した電力制御装置１００の概略構成を示す。
【００５０】
電力制御装置１００は、電圧測定部１１１、電流測定部１１２、コイル１１３、コンデンサ１１４、スイッチング素子１１５、ダイオード１１６、電圧測定部１１７、コンデンサ１１８、昇圧制御部１１９、アーク検出部１２０、記憶部１３０及び制御部１４０を備える。図５の電圧測定部１１１、電流測定部１１２、コイル１１３、コンデンサ１１４、スイッチング素子１１５、ダイオード１１６、電圧測定部１１７、コンデンサ１１８及び昇圧制御部１１９が、図１のＤＣ／ＤＣコンバータ１１０に相当する。
【００５１】
電圧測定部１１１は、ＤＣ／ＤＣコンバータ１１０の入力部の電圧を測定し、測定した電圧値を制御部１４０に送信する。電流測定部１１２は、ＤＣ／ＤＣコンバータ１１０の入力部の電流を測定し、測定した電流値をアーク検出部１２０及び制御部１４０に送信する。
【００５２】
昇圧制御部１１９は、制御部１４０から指令を受けてスイッチング素子１１５を制御することによって、ＤＣ／ＤＣコンバータ１１０の昇圧比を制御する。この際、昇圧制御部１１９は、電圧測定部１１７からＤＣ／ＤＣコンバータ１１０の出力部の電圧を取得しており、取得した出力部の電圧も参照して、ＤＣ／ＤＣコンバータ１１０の昇圧比を制御する。
【００５３】
昇圧制御部１１９は、通常時は、制御部１４０からの指令により、ＭＰＰＴ制御によってスイッチング素子１１５を制御する。また、昇圧制御部１１９は、直列アーク発生時においては、制御部１４０からの指令により、ＤＣ／ＤＣコンバータ１１０の昇圧比が小さくなるようにスイッチング素子１１５を制御する。また、昇圧制御部１１９は、並列アーク発生時においては、制御部１４０からの指令により、ＤＣ／ＤＣコンバータ１１０の昇圧比が大きくなるようにスイッチング素子１１５を制御する。
【００５４】
なお、図５に示すＤＣ／ＤＣコンバータ１１０の構成は一例であって、この構成に限定されるものではない。例えば、図５に示す構成においては、スイッチング素子１１５を１つとしているが、２つのスイッチング素子を有する構成としてもよい。
【００５５】
このように、本実施形態によれば、アーク検出部１２０が、太陽電池２００から電力制御装置１００の間の電路にアークを検出すると、制御部１４０が、電力制御装置１００の入力電圧に基づいて、検出したアークが直列アークであるか並列アークであるかを判定し、直列アークであるか並列アークであるかに応じて、ＤＣ／ＤＣコンバータ１１０の昇圧比を制御する。これにより、電力制御装置１００は、遮断機構及び短絡機構などの機器を追加してコストを上昇させることなく直列アーク又は並列アークを消弧することができる。
【００５６】
また、並列アークを消弧する場合は、電路のＰＮ間を完全に短絡させるわけではないため、並列アークが発生しない程度の状態で、電力制御装置１００は、インバータ３００に直流電力を供給し続けることができる。
【００５７】
（制御状態の記憶）
制御部１４０は、電路において直列アーク又は並列アークが発生したと判定し、ＤＣ／ＤＣコンバータ１１０の昇圧比を所定の値に設定すると、直列アーク又は並列アークが発生したこと、及び、設定した昇圧比の情報を記憶部１３０に記憶する。制御部１４０は、その後、電力制御装置１００が動作停止又は電源オフの状態になってから再起動する際、記憶部１３０に記憶していた昇圧比の情報を読み出し、動作停止又は電源オフの前と同じ昇圧比でＤＣ／ＤＣコンバータ１１０を動作させる。
【００５８】
このように、電力制御装置１００は、一旦直列アーク又は並列アークと判定すると、再起動後も、その状態に応じた昇圧比でＤＣ／ＤＣコンバータ１１０を動作させることによって、直列アーク又は並列アークを再起動直後から発生させないように制御することができる。このような制御は、電力制御装置１００が太陽電池２００からの電力で駆動している場合のように、動作停止又は電源オフの状態になってから再起動することが日常的に行なわれるシステムに用いるとよい。
【００５９】
（アーク発生情報の外部への送信）
電力制御装置１００は、直列アーク又は並列アークを検出した場合、その情報を外部に送信してもよい。この場合の、電力制御装置１００の構成図を図６に示す。図６に示す電力制御装置１００は、通信部１５０を有する点で、図５に示した電力制御装置１００と相違する。
【００６０】
制御部１４０は、アーク検出部１２０がアークを検出すると、通信部１５０に指令を送信して、アーク発生の情報を外部に送信させる。
【００６１】
このように、電力制御装置１００が、アーク発生の情報を外部に送信することにより、その情報を受信したユーザや管理者などは、アーク発生箇所の修理をするなどの対応を迅速に行うことができる。
【００６２】
本発明を諸図面や実施例に基づき説明してきたが、当業者であれば本開示に基づき種々の変形や修正を行うことが容易であることに注意されたい。従って、これらの変形や修正は本発明の範囲に含まれることに留意されたい。例えば、各構成部、各ステップなどに含まれる機能などは論理的に矛盾しないように再配置可能であり、複数の構成部やステップなどを１つに組み合わせたり、或いは分割したりすることが可能である。また、本発明について装置を中心に説明してきたが、本発明は装置の各構成部が実行するステップを含む方法としても実現し得るものである。また、本発明について装置を中心に説明してきたが、本発明は装置が備えるプロセッサにより実行される方法、プログラム、又はプログラムを記録した記憶媒体としても実現し得るものであり、本発明の範囲にはこれらも包含されるものと理解されたい。
【符号の説明】
【００６３】
１  電力制御システム
１００  電力制御装置
１１０  ＤＣ／ＤＣコンバータ
１１１  電圧測定部
１１２  電流測定部
１１３  コイル
１１４  コンデンサ
１１５  スイッチング素子
１１６  ダイオード
１１７  電圧測定部
１１８  コンデンサ
１１９  昇圧制御部
１２０  アーク検出部
１３０  記憶部
１４０  制御部
２００  太陽電池
３００  インバータ
【図１】
2016157364.tif 000003
【図２】
2016157364.tif 000004
【図３】
2016157364.tif 000005
【図４】
2016157364.tif 000006
【図５】
2016157364.tif 000007
【図６】
2016157364.tif 000008
【図７】
2016157364.tif 000009
【図８】
2016157364.tif 000010